(57)【要約】【課題】  杖を利用している人が、携帯用として持ち歩き、必要な場所で容易に任意に取付、固定して杖を掛けて保持できる杖掛け保持具、並びに施設の管理者側が予め必要位置に簡単に設置できる形状の杖掛け保持具を提供する。【解決手段】  合成樹脂や紙等からなる適宜厚さを有する略名刺大の長方形カード型薄板状体を呈する板材２は、一方に杖挿脱用の切り込み部５を設けて杖保持部４となし、該板材２の他方は裏面に板材２の固着手段となるマグネットや吸盤や何度でも使用できる粘着テープ並びに面ファスナー等からなる固着部材７を設けた固定板部３となし、該固定板部３を前記固着部材７にて杖の使用者が向き合うカウンター１１の天板上面１２に任意に固着可能とし、該固定板部３の固着によりカウンター１１の端部から床面側に前記杖保持部４が突出した形状で保持され、該突出した杖保持部４の杖挿脱用切り込み部５を構成する凹凸形状部６に杖１３を立て掛けるか、または、掛けて保持するものである。【選択図】図１
2006087534.tif 000002
【特許請求の範囲】
【請求項１】
合成樹脂や紙等からなる適宜厚さを有する略名刺大の長方形カード型薄板状体を呈する板材は一方に杖挿脱用の切り込み部を設けて杖保持部となし、該板材の他方は裏面に板材の固着手段となるマグネットや吸盤や何度でも使用できる粘着テープ並びに面ファスナー等を設けて固定板部となし、該固定板部を前記固着手段にて杖の使用者が向き合うカウンターの天板上面に任意に固着可能とし、該固定板部の固着によりカウンターの端部から床面側に前記杖保持部が突出した形状で保持され、該突出した杖保持部の杖挿脱用切り込み部に杖を掛けて保持すること、
を特徴とする杖掛け保持具。
【請求項２】
前記略長方形カード型薄板状体を呈する板材は杖保持部と固定板部からなり、前記固定板部をカウンターの天板上面にマグネットや吸盤や何度でも使用できる粘着テープ並びに面ファスナー等で固着し、該固定板部の上部には固定補助用ウエイトとサインホルダー並びにサインが載置され、または、ウエイトとサインホルダーが一体化された固定具が載置され固定板部がカウンターの天板上面に固着され、前記杖保持部の杖挿脱用切り込み部に杖を掛けて保持すること、また、該杖掛け保持具の位置がサインにて表示されること、
を特徴とする請求項１記載の杖掛け保持具。
【請求項３】
合成樹脂や紙等からなる適宜厚さを有する略名刺大の長方形カード型薄板状体を呈する板材は先端部に杖挿脱用の切り込み部を設けて杖保持部となし、該杖保持部を有する板材は固定板部ケースに内蔵され、該固定板部ケースの裏面には固定板部ケースと板材の固着手段となるマグネットや吸盤や何度でも使用できる粘着テープ並びに面ファスナー等の固定手段を設け、前記固定板部ケースに内蔵され必要に応じて前記杖保持部の杖挿脱用の切り込み部を外部に伸張可能となし、前記固定板部ケースを前記固着手段にて杖の使用者が向き合うカウンターの天板上面に任意に固着し、該固定板部ケースの固着によりカウンターの端部から床面側に前記杖保持部の杖挿脱用の切り込み部が突出した形状で保持され、該突出した杖保持部の杖挿脱用切り込み部に杖を掛けて保持すること、
を特徴とする杖掛け保持具。
【請求項４】
前記略長方形カード型薄板状体を呈する板材からなる杖保持部と該杖保持具を内蔵する固定板部ケースからなる杖の保持具は、前記固定板部ケースをカウンターの天板上面にマグネットや吸盤や何度でも使用できる粘着テープ並びに面ファスナー等で固着し、該固定板部ケースの上部には固定補助用ウエイトとサインホルダー並びにサインが載置され、または、ウエイトとサインホルダーが一体化された固定具が載置され固定板部ケースがカウンターの天板上面に固着され、前記杖保持部の杖挿脱用切り込み部に杖を掛けて保持すること、また、該杖掛け保持具の位置がサインにて表示されること、
を特徴とする請求項３記載の杖掛け保持具。
【請求項５】
合成樹脂や紙等からなる適宜厚さを有する略長方形カード型薄板状体を呈する板材は、その長手方向略中央から折り曲げ可能に三本のV字溝が刻設されており、該V溝に沿って折り曲げることにより三角山形状のサインホルダーが構成され、また該三角山形状の底辺部は固定板部となし、該固定板部の先端部は杖挿脱用の切り込み部を有する杖保持部を設けており、該杖保持部の固定板部裏面に固定板部の固着手段となるマグネットや吸盤や何度でも使用できる粘着テープ並びに面ファスナー等を設けることで杖の使用者が向き合うカウンターの天板上面に任意に前記固定板部を固定可能とし、前記杖保持部は床面側に突出した形状で固着し、該杖保持部の杖挿脱用切り込み部に杖を掛けて保持すること、
を特徴とする杖掛け保持具。
【請求項６】
前記固定板部を底辺として形成される三角山形状のサインホルダーは前記三角山形状が作り出す内径部に固定補助用ウエイトを装着でき、該三角山形状外部側には杖の保持具サインを印刷し、該杖掛け保持具の位置がサインにて表示されること、
を特徴とする請求項５記載の杖掛け保持具。
【請求項７】
前記固定板部並びに固定板部ケースの裏面にはカウンター天板上面で滑り止めとなるテープ等が貼着されており、該固定板部並びに固定板部ケース上面にウエイトを載置することで該固定板部並びに固定板部ケース、そして杖保持部をカウンター天板上面に固定すること、
を特徴とする請求項１乃至請求項６の何れかに記載の杖掛け保持具。
【請求項８】
合成樹脂や紙等からなる適宜厚さを有する略名刺大の略長方形カード型薄板状体を呈する板材は、その長手方向略中央で折り曲げ可能にV字溝が刻設されており、該V溝に沿って一方向に折り曲げ可能に構成され、また該カード型板材は片方を杖保持部の固定板部となし、該他方は前記折り曲げ角度規制ストッパーと杖挿脱用の切り込み部とを形成する杖保持部を設けており、前記杖保持部の固定板部裏面に固定板部の固着手段となるマグネットや吸盤や何度でも使用できる粘着テープ並びに面ファスナー等を設けることで杖の使用者が向き合うカウンター側壁に任意に前記固定板部を固定可能とし、前記杖保持部は折り曲げ角度規制ストッパーにてカウンター側壁に対して略９０度折り曲げられた状態で規制され床面側に突出した形状で固着し、該杖保持部に杖を掛けて保持すること、
を特徴とする杖掛け保持具。
【請求項９】
前記略長方形カード型薄板状体を呈する板材は、固定板部と杖保持部からなり、該固定板部を杖の使用者が向かい合うカウンターの上面にマグネットや吸盤や何度でも使用できる粘着テープ並びに面ファスナー等の固定手段で固定し、該カウンターの端部より床面側に杖保持部を適宜突出した形状で固着し、該杖保持部に杖を掛けて保持すること、
を特徴とする請求項８記載の杖掛け保持具。    
【請求項１０】
二重に重ねた合成樹脂や紙等からなる適宜厚さを有する略名刺大の略長方形カード型薄板状体を呈する板材は、その長手方向を押し潰す様な動作で側面が逆T字型に形成され、該逆T字型底辺は杖保持部の固定板部となし、また逆T字型トップ部は先端部から杖挿脱用の切り込み部を形成する杖保持部を設けて、前記杖保持部の固定板部に固着手段となるマグネットや吸盤や何度でも使用できる粘着テープ、並びに面ファスナー等を設けることで杖の使用者が向き合うカウンター側壁に任意に固定板部を固定可能とし、該固定板部より床面側に杖保持部が突出した形状で固着し、該杖保持部に杖を掛けて保持すること、
を特徴とする杖掛け保持具。
【請求項１１】
前記二重に重ねた合成樹脂や紙等からなる適宜厚さを有する略名刺大の略長方形カード型薄板状体を呈する板材は、その長手方向を押し潰す様な動作で側面が逆Y字型に形成され、該逆Y字型のV字部は杖保持部の固定板部となし、また逆Y字型先端部は先端部から杖挿脱用の切り込み部を形成する杖保持部を設けて、前記杖保持部の固定板部に固着手段となるマグネットや吸盤や何度でも使用できる粘着テープ、並びに面ファスナー等を設けることで杖の使用者が向き合うカウンター上面と側壁が形成するコーナー部に任意に固定板部を固定可能とし、該固定板部より床面側に杖保持部が突出した形状で固着し、該杖保持具に杖を掛けて保持すること、
を特徴とする請求項１０記載の杖掛け保持具。
【請求項１２】
合成樹脂樹や紙等からなる適宜厚さを有する略名刺大の略長方形カード型薄板状体を呈する板材はその長手方向中央で折り曲げ可能にV字溝が刻設されており、該V溝に沿って一方向に折り曲げ可能に構成され、該カード型板材は通常折り曲げて携帯し、また該カード型板材は片方を杖保持部の固定板部とし、該他方は杖挿脱用の切り込み部を形成する杖保持部を設けた構造となし、前記杖保持部の固定板部裏面に固定板部の固着手段となるマグネットや吸盤や何度でも使用できる粘着テープ並びに面ファスナー等を設けることで杖の使用者が向き合うカウンター端部上面から床面側に杖保持部を適宜突出して固着することができ、また、カウンター側壁に任意に固定板部を固定可能とし前記杖保持部はカウンター側壁に対して略９０度折り曲げられた状態で床面側に突出した形状で固着し、該杖保持部に杖を掛けて保持すること、
を特徴とする杖掛け保持具。
【請求項１３】
前記カウンターの天板上面や側壁、または該コーナー部を主な取付部位となし、該部位にマグネットや吸盤や何度でも使用できる粘着テープ並びに面ファスナー等の固定手段で一時的な固着と離脱が可能な固定板部を有し、該固定板部の他端には杖を掛け止めできる杖保持部を設けており、該固定板部は可撓性を有した略名刺大の略長方形カード型の薄板状体を呈する板材で通常はポケットや財布等に収納して携帯可能となし、該カード型板材を適宜必要に応じて利用者が取り出し前記取付部位に応じてI型、逆L字型、Y型、T型に折り曲げて、或いはそのままの状態にて前記カウンターの天板上面や側壁、または該コーナー部に固着すること、
を特徴とする請求項８乃至請求項１２記載の杖掛け保持具。
【請求項１４】
適宜厚さの合成樹脂やアルミ等の金属からなる杖掛け具は、杖の使用者が向き合うカウンターの側壁部に任意に取付固着できる手段を有する固定板部と杖挿脱用の切り込み部を有する杖保持部とからなり、前記固定板部に必要に応じ施設側管理者が杖保持部を嵌合するか、利用者が必要時に杖保持部を嵌合して、該杖保持部に杖を掛けて保持すること、
を特徴とする杖掛け保持具。
【請求項１５】
適宜厚さの合成樹脂やアルミ等の金属からなる杖掛け具は、杖の使用者が向き合うカウンターの天板上面や側壁部に任意に取付固着できる手段を有する固定板部と杖挿脱用の切り込み部を有する杖保持部とからなり、該固定板部と杖保持部は回転軸により略９０度回動可能に連結されており、また、前記固定板部裏面には固定板部の固着手段となるマグネットや吸盤や何度でも使用できる粘着テープ並びに面ファスナー等を設け、該固定板部を任意にI型、逆L字型に構成して前記カウンターの天板上面や側壁に固着可能となし、前記杖保持部に杖を掛けて保持すること、
を特徴とする杖掛け保持具。
【請求項１６】
適宜厚さの合成樹脂やアルミ等の金属からなる杖掛け具は、杖の使用者が向き合うカウンターの天板上面や側壁部に任意に取付固着できる固定板部と杖挿脱用の切り込み部を有する杖保持部とからなり、該固定板部と杖保持部は回転軸により略９０度回動可能に連結されており、該回転軸は固定板部両側面に刻設された摺動溝内に摺動可能に嵌着されており杖保持部を前記固定板部の収納部に収納或いは引き出すことが可能に構成されており、また、前記固定板部の裏面には固定板部の固着手段を設け、該固定板部を任意にＩ型、逆L字型に構成して前記カウンターの天板上面や側壁に固着可能となし、前記杖保持部に杖を掛けて保持すること、
を特徴とする杖掛け保持具。
【請求項１７】
適宜厚さの合成樹脂等からなる杖掛け具は、杖の使用者が向き合うカウンターの天板上面や側壁部に任意に取付固着できる固着手段を有する固定板部と杖挿脱用の切り込み部を有する杖保持部とからなり、該固定板部と杖保持部はその長手方向略中央で折り曲げ可能にV字溝が刻設されており、該V溝に沿って一方向に折り曲げ可能に構成され、該Ｖ溝により折り曲げられる角度は固定板部と杖保持部に互いに設けられた角度調整突部により略９０度に規制され、該固定板部を任意に逆L字型やI型に構成して前記カウンターの天板上面や側壁に固着可能となし、前記杖保持部に杖を掛けて保持すること、
を特徴とする杖掛け保持具。
【請求項１８】
前記固定板部と杖保持部間に刻設されるV溝の可撓部を丁番に換えることで杖掛け具全体の素材をアルミ等の金属性として構成したこと、
を特徴とする請求項１７記載の杖掛け保持具
【請求項１９】
適宜厚さの合成樹脂やアルミ等の金属からなる杖掛け具は、杖の使用者が向き合うカウンターの天板上面や側壁部に杖掛け具として任意に取付固着できる固定板部と杖挿脱用の切り込み部を有する杖保持部とからなり、該固定板部と杖保持部は回転軸により略９０度回動可能に連結されており、また、前記固定板部裏面には固定板部の固着手段を設け、該固定板部を任意にI型、逆L字型に構成して前記カウンターの天板上面や側壁に固着可能となし、また、前記固着された状態で不使用時には杖保持部を前記固定板部の収納部に折り曲げて収納可能に構成したこと、
を特徴とする杖掛け保持具。
【請求項２０】
軟質樹脂より成る円柱形状のホルダー本体を外周面に設けたリング状のマグネットによりスチール側壁に固着可能となし、該側壁に固着されたホルダー本体の先端部には軸心方向にT型の杖握り部先端が挿着保持される差込口が設けられ、該円柱形状のホルダー本体外周部にはステッキ形状の杖が掛けられるくびれ溝を設けたこと、
を特徴とする杖掛け保持具。
【請求項２１】
前記ホルダー本体の先端部に設けられるT型の杖握り部先端が挿着保持される差込口は該縁部に軟質樹脂により容易に伸び縮みする複数の突起を設け、該突起によりT型杖の先端部を挿着保持すること、
を特徴とする請求項２０記載の杖掛け保持具。
【請求項２２】
前記杖掛け具の固定板部を使用個所に取付固着する手段はマグネットや吸盤や何度でも使用できる粘着テープ或いは面ファスナー等を必要に応じて選択し、該手段にて前記固定板部を使用個所で任意に着脱可能に設置する手段となし、また、前記固定部板を強固に固定する場合にはビス止めやボルト・ナットによる固着手段を採用して固着し、該固定板部に連繋して設けられる杖保持部に杖を掛けて保持すること、
を特徴とする請求項１４乃至請求項２１の何れかに記載の杖掛け保持具。
【発明の詳細な説明】
【技術分野】
【０００１】
本発明は、主として杖を利用している人が、銀行やキャッシュボックス、券売機、公共施設のカウンター等の前で杖を置いて両手を使用する場合に、該杖を自身の側に掛けて保持できる杖掛け保持具に関するものである。
【０００２】
本発明は特に杖を利用している人が、携帯用として持ち歩き、必要な場所で容易に杖の保持具を固定して杖を掛けて保持できる形状のもの、並びに例えば公共の施設管理者側が予め必要位置に簡単に設置できる杖掛け保持具に関するものである。
【背景技術】
【０００３】
高齢者の人口増加に伴い、杖の利用者も増加しているようにみうけられるが、その要因としては、何よりもあらゆる公共的施設に於いてバリアフリー化が促進され、高齢者にとっても外出することが、負担にならず、積極的に外出する機会が増加してきているからと思われる。
【０００４】
しかしながら、杖の利用者にとっては、例えば銀行のカウンター、キャッシュボックス、券売機、公共施設の受付、手続カウンター前等において、杖をカウンター側壁に立て掛けて両手を使用する機会や、必要性に出会うこと事が非常に多い。
【０００５】
而して、杖の多くは、上部にT型の握り部のある最近流行の杖、U字型、L字型等の握り部分がありステッキ形状の杖等がある。そして、通常用いられる杖は、上部に握り部分があることから重心が上方部にあるので、単にカウンター側壁に立て掛けただけでは、杖が転がりやすく、杖が転がってしまうと、利用者にとっては、杖を拾うこと自体が困難な動作となってしまう。
【０００６】
従って、従来技術として、紐、紐調節具、バックル、二つのゴム等から成る杖用補助具を介して杖を利用者と結びあわせ杖が利用者の手から離れても杖が床面に倒れたりすることがなく、常に使用者の身体と必要時は一体となつており、任意に両手を自由に使える様に構成した
【特許文献１】や、杖の上部に着脱自在な対壁面滑り止めゴム部を設け、杖を側壁に立て掛けた際に杖が壁面を滑り倒れたりしない様に構成した
【特許文献２】等の技術がある。
【０００７】
しかし、上記
【特許文献１】の従来技術においては、杖と身体を紐等で結び付けておくこと自体が高齢者にとっては、煩わしいく、紐を色々なところに引っ掛けてしまうなど、甚だ危険でもある。
【０００８】
また、
【特許文献２】の従来技術においては、特に高齢者の場合に確実に杖を滑り止めゴム部を介して壁面に立て掛けること自体が、なかなか難しいので効果があがらず、また、滑り止めゴム部を大きく形成すれば壁面に立てかけやすくなるが、該杖自体のデザインを阻害するばかりか、持ち歩きにも邪魔になって携帯性が阻害されていた。
【特許文献１】特開２００３−２４５１１０号
【特許文献２】実用新案登録第３０３７８２７号
【発明の開示】
【発明が解決しようとする課題】
【０００９】
而して、本発明が解決しようとする課題は、上記従来例の欠点を解消し、主として杖を利用している人が、例えば銀行やキャッシュボックス、券売機、公共施設の受付、手続カウンター等の前で杖を置いて両手を使用する場合に、該杖を側に掛けて保持できる形態の杖の掛け保持具を提供するものである。
【００１０】
即ち、本発明の杖掛け保持具は、特に杖を利用している人が、携帯用として持ち歩き、必要な場所で容易に取付固定して杖を掛けて保持できる形状のもの、並びに例えば公共施設管理者側が予め必要位置に簡単に設置でき、不要時には杖掛け部を構成する杖保持部のみを取り外したり、杖保持部を折りたたみ、或いは収納部に収納できる形状の杖掛け保持具を提供することにある。
【課題を解決するための手段】
【００１１】
本発明の杖掛け保持具は、合成樹脂や紙等からなる適宜厚さを有する略名刺大の長方形カード型薄板状体を呈する板材は一方に杖挿脱用の切り込み部を設けて杖保持部となし、該板材の他方は裏面に板材の固着手段となるマグネットや吸盤や何度でも使用できる粘着テープ並びに面ファスナー等を設けて固定板部となし、該固定板部を前記固着手段にて杖の使用者が向き合うカウンターの天板上面に任意に固着可能とし、該固定板部の固着によりカウンターの端部から床面側に前記杖保持部が突出した形状で保持され、該突出した杖保持部の杖挿脱用切り込み部に杖を掛けて保持する構成とした。
【００１２】
また、本発明は、前記略長方形カード型薄板状体を呈する板材が杖保持部と固定板部からなり、前記固定板部をカウンターの天板上面にマグネットや吸盤や何度でも使用できる粘着テープ並びに面ファスナー等で固着し、該固定板部の上部には固定補助用ウエイトとサインホルダー並びにサインが載置され、または、ウエイトとサインホルダーが一体化された固定具が載置され固定板部がカウンターの天板上面に固着され、前記杖保持部の杖挿脱用切り込み部に杖を掛けて保持すること、また、該杖掛け保持具の位置がサインにて表示される構成とした。
【００１３】
本発明の杖掛け保持具において、合成樹脂や紙等からなる適宜厚さを有する略名刺大の長方形カード型薄板状体を呈する板材は、先端部に杖挿脱用の切り込み部を設けて杖保持部となし、該杖保持部を有する板材は固定板部ケースに内蔵され、該固定板部ケースの裏面には固定板部ケースと板材の固着手段となるマグネットや吸盤や何度でも使用できる粘着テープ並びに面ファスナー等の固定手段を設け、前記固定板部ケースに内蔵され必要に応じて前記杖保持部の杖挿脱用の切り込み部を外部に伸張可能となし、前記固定板部ケースを前記固着手段にて杖の使用者が向き合うカウンターの天板上面に任意に固着し、該固定板部ケースの固着によりカウンターの端部から床面側に前記杖保持部の杖挿脱用の切り込み部が突出した形状で保持され、該突出した杖保持部の杖挿脱用切り込み部に杖を掛けて保持する構成とした。
【００１４】
また、本発明は、前記略長方形カード型薄板状体を呈する板材からなる杖保持部と該杖保持具を内蔵する固定板部ケースからなる杖の保持具が、前記固定板部ケースをカウンターの天板上面にマグネットや吸盤や何度でも使用できる粘着テープ並びに面ファスナー等で固着し、該固定板部ケースの上部には固定補助用ウエイトとサインホルダー並びにサインが載置され、または、ウエイトとサインホルダーが一体化された固定具が載置され固定板部ケースがカウンターの天板上面に固着され、前記杖保持部の杖挿脱用切り込み部に杖を掛けて保持すること、また、該杖掛け保持具の位置がサインにて表示される構成とした。
【００１５】
本発明の杖掛け保持具は、合成樹脂や紙等からなる適宜厚さを有する略長方形カード型薄板状体を呈する板材は、その長手方向略中央から折り曲げ可能に三本のV字溝が刻設されており、該V溝に沿って折り曲げることにより三角山形状のサインホルダーが構成され、また該三角山形状の底辺部は固定板部となし、該固定板部の先端部は杖挿脱用の切り込み部を有する杖保持部を設けており、該杖保持部の固定板部裏面に固定板部の固着手段となるマグネットや吸盤や何度でも使用できる粘着テープ並びに面ファスナー等を設けることで杖の使用者が向き合うカウンターの天板上面に任意に前記固定板部を固定可能とし、前記杖保持部は床面側に突出した形状で固着し、該杖保持部の杖挿脱用切り込み部に杖を掛けて保持する構成とした。
【００１６】
また本発明は、前記固定板部を底辺として形成される三角山形状のサインホルダーは前記三角山形状が作り出す内径部に固定補助用ウエイトを装着でき、該三角山形状外部側には杖の保持具サインを印刷し、該杖掛け保持具の位置がサインにて表示される構成とした。
【００１７】
更にまた、本発明は、前記固定板部並びに固定板部ケースの裏面にはカウンター天板上面で滑り止めとなるテープ等が貼着されており、該固定板部並びに固定板部ケース上面にウエイトを載置することで該固定板部並びに固定板部ケース、そして杖保持部をカウンター天板上面に固定する構成とした。
【００１８】
本発明の杖掛け保持具は、合成樹脂樹や紙等からなる適宜厚さを有する略名刺大の略長方形カード型薄板状体を呈する板材（以下、カード型板材と云う）からなり、該カード型板材は、その長手方向略中央で折り曲げ可能にV字溝が刻設されており、該V溝に沿って一方向に折り曲げ可能に構成されている。
【００１９】
また、前記カード型板材は片方を杖保持部の固定板部となし、該他方は前記折り曲げ角度規制ストッパーと、杖挿脱用の切り込み部を形成する杖保持部とを設けており、前記杖保持部の固定板部裏面に固定板部の固着手段となるマグネットや吸盤や何度でも使用できる粘着テープ、並びに面ファスナー等を設けることで杖の使用者が向き合うカウンター側壁に任意に前記固定板部を固定可能とした。
【００２０】
斯くして、本発明の前記杖保持部は、折り曲げ角度規制ストッパーにてカウンター側壁に対して略９０度折り曲げられた状態で規制され床面側に突出した形状で固着可能とし、該杖保持部に杖を掛けて保持する構成となし、薄くて軽い携帯に便利な杖掛け保持具を提供した。
【００２１】
また、本発明の前記略長方形カード型板材は、固定板部と杖保持部とからなり、該固定板部を杖の使用者が向かい合うカウンターの上面にマグネットや吸盤や何度でも使用できる粘着テープ、並びに面ファスナー等の固定手段で固定し、該カウンターの端部より床面側に杖保持部を適宜突出した形状で固着し、該杖保持部に杖を掛けて保持する構成となし、薄くて軽い携帯に便利な杖掛け保持具を提供した。    
【００２２】
また、本発明は、二重に重ねた合成樹脂や紙等からなる適宜厚さを有する略名刺大の略長方形カード型板材は、その長手方向を押し潰す様な動作で側面が逆T字型に形成されるように構成されている。
【００２３】
そして、該逆T字型底辺は杖保持部の固定板部となし、また逆T字型トップ部は先端部から杖挿脱用の切り込み部を形成する杖保持部を設けて、前記杖保持部の固定板部に固着手段となるマグネットや吸盤や何度でも使用できる粘着テープ、並びに面ファスナー等を設けることで杖の使用者が向き合うカウンター側壁に任意に固定板部を固定可能とし、該固定板部より床面側に杖保持部が突出した形状で固着し、該杖保持部に杖を掛けて保持する構成となし、薄くて軽い携帯に便利な杖掛け保持具を提供した。
【００２４】
また上記本発明の実施例として、前記二重に重ねた合成樹脂や紙からなる適宜厚さを有する略名刺大の略長方形カード型板材は、その長手方向を押し潰す様な動作で側面が逆Y字型に形成され、該逆Y字型のV字部は杖保持部の固定板部となし、また逆Y字型先端部は先端部から杖挿脱用の切り込み部を形成する杖保持部を設けた。
【００２５】
そして、前記杖保持部の固定板部に固着手段となるマグネットや吸盤や何度でも使用できる粘着テープ、並びに面ファスナー等を設けることで杖の使用者が向き合うカウンター上面と側壁が形成するコーナー部に任意に固定板部を固定可能とし、該固定板部より床面側に杖保持部が突出した形状で固着し、該杖保持具に杖を掛けて保持する構成となし、薄くて軽い携帯に便利な杖掛け保持具を提供した。
【００２６】
また、本発明は、合成樹脂樹や紙等からなる適宜厚さを有する名刺大の長方形カード型板材はその長手方向中央で折り曲げ可能にV字溝が刻設されており、該V溝に沿って一方向に折り曲げ可能に構成されている。カード型板材は、通常二つ折りに曲げて携帯でき、該カード型板材は片方を杖保持部の固定板部とし、該他方は杖挿脱用の切り込み部を形成する杖保持部を設けた構造とした。
【００２７】
そして、前記杖保持部の固定板部裏面に固定板部の固着手段となるマグネットや吸盤や何度でも使用できる粘着テープ、並びに面ファスナー等を設けることで杖の使用者が向き合うカウンター端部上面から床面側に杖保持部を適宜突出して固着することができ、カウンター側壁に任意に固定板部を固定可能とし前記杖保持部はカウンター側壁に対して略９０度折り曲げられた状態でＶ溝縁部が互いに当接してストッパーになり床面側に突出した形状で固着されるものとし、該杖保持部に杖を掛けて保持する構成となし、薄くて軽く小さな携帯用に便利な杖掛け保持具を提供した。
【００２８】
而して、上述の本発明の共通点は、前記カウンターの天板上面や側壁、または該コーナー部を主な取付部位となし、該部位にマグネットや吸盤や何度でも使用できる粘着テープ、並びに面ファスナー等の固定手段で一時的な固着と離脱が可能な固定板部を有し、該固定板部の他端には杖を掛け止めできる杖保持部を設けている。
【００２９】
そして、該固定板部は可撓性を有した略名刺大の略長方形カード型の板材で通常はポケットや財布等に収納して携帯可能となし、該カード型板材を適宜必要に応じて利用者が取り出し、前記取付部位に応じて、I型、逆L字型、Y型、T型に折り曲げて、或いはそのままの状態で前記カウンターの天板上面や側壁、または該コーナー部に固着する構成の杖掛け保持具を提供した。
【００３０】
更に、本発明の他の形状例において、適宜厚さを有する合成樹脂やアルミ等の金属からなる杖掛け具は、杖の使用者が向き合うカウンターの側壁部に任意に取付固着できる手段を有する固定板部と杖挿脱用の切り込み部を有する杖保持部とからなり、前記固定板部に必要に応じ施設側管理者が杖保持部を嵌合するか、利用者が必要時に杖保持部を嵌合して、該杖保持部に杖を掛けて保持する構成の杖掛け保持具を提供した。
【００３１】
また、本発明の他の形状例において、適宜厚さの合成樹脂やアルミ等の金属からなる杖掛け具は、杖の使用者が向き合うカウンターの天板上面や、側壁部に任意に取付固着できる手段を有する固定板部と杖挿脱用の切り込み部を有する杖保持部からなり、該固定板部と杖保持部は回転軸により略９０度回動可能に連結されており、また、前記固定板部裏面には固定板部の固着手段となるマグネットや吸盤や何度も使用できる粘着テープ並びに面ファスナーを設け、該固定板部を任意にI型、逆L字型に構成して前記カウンターの天板上面や側壁に固着可能となし、前記杖保持部に杖を掛けて保持する構成の杖掛け保持具を提供した。
【００３２】
また、本発明の他の形状例において、適宜厚さの合成樹脂やアルミ等の金属からなる杖掛け具は、杖の使用者が向き合うカウンターの天板上面や側壁部に任意に取付固着できる固定板部と杖挿脱用の切り込み部を有する杖保持部からなり、該杖保持部は回転軸により固定板部に対して略９０度回動可能に連結されており、該回転軸は固定板部両側面に刻設された摺動溝内に摺動可能に嵌着されており杖保持部を前記固定板部の収納部に収納、或いは引き出すことが可能に構成されている。前記固定板部の裏面には固定板部の固着手段を設け、該固定板部を任意にI型、逆L字型に構成して前記カウンターの天板上面や側壁に固着可能となし、前記杖保持部に杖を掛けて保持する構成の杖掛け保持具を提供した。
【００３３】
また、本発明の他の形状例において、適宜厚さの合成樹脂等からなる杖掛け具は、杖の使用者が向き合うカウンターの天板上面や側壁部に任意に取付固着できる固着手段を有する固定板部と杖挿脱用の切り込み部を有する杖保持部からなり、該固定板部と杖保持部はその長手方向略中央で折り曲げ可能にV字溝が刻設されており、該V溝に沿って一方向に折り曲げ可能に構成され、該V溝により折り曲げられる角度は固定板部と杖保持部に互いに設けられた角度調整突部により略９０度に規制されている。そして、前記固定板部を任意に逆L字型やＩ型に構成して、前記カウンターの天板上面や、側壁に固着可能となし、前記杖保持部に杖を掛けて保持する構成とした杖掛け保持具を提供した。
【００３４】
また、本発明は、前記形状例において、固定板部と杖保持部間に刻設されるV溝の可撓部は９０度のストッパー付き丁番に換えることで杖掛け具全体の素材をアルミ等の金属性として構成できる杖掛け保持具を提供した。
【００３５】
また、本発明の他の形状例において、適宜厚さの合成樹脂やアルミ等の金属からなる杖掛け具は、杖の使用者が向き合うカウンターの天板上面や側壁部に杖掛け具として任意に取付固着できる固定板部と杖挿脱用の切り込み部を有する杖保持部からなり、該固定板部と杖保持部は回転軸により略９０度回動可能に連結されており、また、前記固定板部裏面には固定板部の固着手段を設け、該固定板部を任意にI型、逆L字型に構成して前記カウンターの天板上面や側壁に固着可能となし、また、前記固着された状態で不使用時には杖保持部を前記固定板部の収納部に折り曲げて収納可能に構成した杖掛け保持具を提供した。
【００３６】
本発明の杖掛け保持具は軟質樹脂より成る円柱形状のホルダー本体を外周面に設けたリング状のマグネットによりスチール側壁に固着可能となし、該側壁に固着されたホルダー本体の先端部には軸心方向にT型の杖握り部先端が挿着保持される差込口が設けられ、該円柱形状のホルダー本体外周部にはステッキ形状の杖が掛けられるくびれ溝を設けた構成とした。
【００３７】
また本発明は、前記ホルダー本体の先端部に設けられるT型の杖握り部先端が挿着保持される差込口は該縁部に軟質樹脂により容易に伸び縮みする複数の突起を設け、該突起によりT型杖の先端部を挿着保持する構成とした。
【００３８】
更に、本発明においては、前記杖掛け具の固定板部を使用個所に取付固着する手段は、マグネットや吸盤や何度でも使用できる粘着テープ或いは面ファスナー等から必要に応じ選択して前記固定板部を使用個所で着脱自在に構成すること、また、前記固定部板を強固に固定する場合には予めビス止めやボルト・ナットによる固着手段を採用して固着することも可能で、該固定板部に連繋して設けられた杖保持部に杖を掛けて保持することを共通の構成としており、それらは任意に選択して杖掛け保持具の固定手段とすることができる。
【発明の効果】
【００３９】
斯くして、本発明は上記従来例の欠点を解消して、杖を利用している人が、銀行やキャッシュボックス、券売機、公共施設のカウンター等の前で杖を置いて両手を使用する場合に、簡単、且つ容易な操作で杖をそばに立て掛けて、或いは掛けて保持できる形態の杖の掛け保持具を提供することができた。
【００４０】
また、本発明の杖掛け保持具は、特に杖を利用している人が、携帯用として持ち歩き、必要な場所で容易に取付固定して杖を掛けて保持できる形状の杖掛け保持具を具現化して、今まで杖掛け具の設置が配慮されなかった場所等でも、使用者が携帯して任意に使用できるので、杖の利用者の行動範囲を一層拡大することができた。
【００４１】
更に本発明は、公共の施設管理者等の側が予め必要位置に簡単に設置でき、例えば、高齢者の集い等において臨時に複数個設置することも容易であるばかりでなく、臨時の設置等においては、サインホルダー付き杖掛け保持具が非常に役に立ち、杖の利用者の利便性を拡大した杖掛け保持具を具現化することができた。
【００４２】
本発明の杖掛け保持具は、不必要時には、杖掛け部を構成する杖保持部のみを取り外したり、杖の保持部を折りたたみ、或いは収納部に収納して邪魔にならないように配慮できる杖掛け保持具を具現化することができた。
【００４３】
また、本発明の携帯用杖掛け保持具は、簡単な構造で安価に製造できるので、販促品等として配布することも十分に可能であり、急速な普及が促進でき、杖の利用者に喜ばれる製品を提供することができた。
【発明を実施するための最良の形態】
【００４４】
斯くして本発明は、杖を利用している人が銀行やキャッシュボックス、券売機、公共施設のカウンター等の前で杖を置いて両手を使用する場合に、該杖をそばに掛けて保持できる杖掛け保持具に関するものである。
【００４５】
本発明の形態例は、杖を利用している人が、携帯用として持ち歩き、必要な場所に杖の保持具を固定して、杖を立て掛けたり、或いは、杖を掛けて保持できる形状のもの、並びに施設管理者側が予め必要位置に簡単に設置できる杖掛け保持具に関するものがあり、初めに施設管理者側が予め必要位置に簡単に設置できる杖掛け保持具に関するものから説明する。
【００４６】
本発明は、合成樹脂や紙等からなる適宜厚さを有する略名刺大の長方形カード型薄板状体を呈する板材は一方に杖挿脱用の切り込み部を設けて杖保持部となし、該板材の他方は裏面に板材の固着手段となるマグネットや吸盤や何度でも使用できる粘着テープ並びに面ファスナー等を設けて固定板部となし、該固定板部を前記固着手段にて杖の使用者が向き合うカウンターの天板上面に任意に固着可能とし、該固定板部の固着によりカウンターの端部から床面側に前記杖保持部が突出した形状で保持され、該突出した杖保持部の杖挿脱用切り込み部に杖を掛けて保持するものである。
【００４７】
本発明おいて、前記略長方形カード型薄板状体を呈する板材は、杖保持部と固定板部からなり、前記固定板部をカウンターの天板上面にマグネットや吸盤や何度でも使用できる粘着テープ並びに面ファスナー等で固着し、該固定板部の上部には固定補助用ウエイトとサインホルダー並びにサインが載置され、または、ウエイトとサインホルダーが一体化された固定具が載置され固定板部がカウンターの天板上面に固着され、前記杖保持部の杖挿脱用切り込み部に杖を掛けて保持すること、また、該杖掛け保持具の位置がサインにて表示されるようになっている。
【００４８】
本発明は、合成樹脂や紙等からなる適宜厚さを有する略名刺大の長方形カード型薄板状体を呈する板材は先端部に杖挿脱用の切り込み部を設けて杖保持部となし、該杖保持部を有する板材は固定板部ケースに内蔵され、該固定板部ケースの裏面には固定板部ケースと板材の固着手段となるマグネットや吸盤や何度でも使用できる粘着テープ並びに面ファスナー等の固定手段を設け、前記固定板部ケースに内蔵され必要に応じて前記杖保持部の杖挿脱用の切り込み部を外部に伸張可能となし、前記固定板部ケースを前記固着手段にて杖の使用者が向き合うカウンターの天板上面に任意に固着し、該固定板部ケースの固着によりカウンターの端部から床面側に前記杖保持部の杖挿脱用の切り込み部が突出した形状で保持され、該突出した杖保持部の杖挿脱用切り込み部に杖を掛けて保持するものである。  
【００４９】
本発明において、前記略長方形カード型薄板状体を呈する板材からなる杖保持部と該杖保持具を内蔵する固定板部ケースからなる杖の保持具は、前記固定板部ケースをカウンターの天板上面にマグネットや吸盤や何度でも使用できる粘着テープ並びに面ファスナー等で固着し、該固定板部ケースの上部には固定補助用ウエイトとサインホルダー並びにサインが載置され、または、ウエイトとサインホルダーが一体化された固定具が載置され固定板部ケースがカウンターの天板上面に固着され、前記杖保持部の杖挿脱用切り込み部に杖を掛けて保持すること、また、該杖掛け保持具の位置がサインにて表示されるようになっている。
【００５０】
本発明は、合成樹脂や紙等からなる適宜厚さを有する略長方形カード型薄板状体を呈する板材は、その長手方向略中央から折り曲げ可能に三本のV字溝が刻設されており、該V溝に沿って折り曲げることにより三角山形状のサインホルダーが構成され、また該三角山形状の底辺部は固定板部となし、該固定板部の先端部は杖挿脱用の切り込み部を有する杖保持部を設けており、該杖保持部の固定板部裏面に固定板部の固着手段となるマグネットや吸盤や何度でも使用できる粘着テープ並びに面ファスナー等を設けることで杖の使用者が向き合うカウンターの天板上面に任意に前記固定板部を固定可能とし、前記杖保持部は床面側に突出した形状で固着し、該杖保持部の杖挿脱用切り込み部に杖を掛けて保持するものである。
【００５１】
本発明において、前記固定板部を底辺として形成される三角山形状のサインホルダーは前記三角山形状が作り出す内径部に固定補助用ウエイトを装着でき、該三角山形状外部側には杖の保持具サインを印刷し、該杖掛け保持具の位置がサインにて表示されるようになっている。
【００５２】
また、本発明においては、前記固定板部並びに固定板部ケースの裏面にカウンター天板上面で滑り止めとなるテープ等が貼着されており、該固定板部並びに固定板部ケース上面にウエイトを載置することで該固定板部並びに固定板部ケース、そして杖保持部をカウンター天板上面に固定する構成も好ましい。
【００５３】
本発明における合成樹脂樹や紙等からなる適宜厚さを有する略名刺大の略長方形カード型板材は、その長手方向略中央で折り曲げ可能にV字溝が刻設されており、該V溝に沿って一方向に折り曲げ可能に構成され、また該カード型板材は片方を杖保持部の固定板部となし、該他方は前記折り曲げ角度規制ストッパーと杖挿脱用の切り込み部を形成する杖保持部を設けている。
【００５４】
前記杖保持部の固定板部裏面に固定板部の固着手段となるマグネットや吸盤や何度でも使用できる粘着テープ、並びに面ファスナーを設けることで杖の使用者が向き合うカウンター側壁に任意に前記固定板部を固定可能とし、前記杖保持部は折り曲げ角度規制ストッパーにてカウンター側壁に対して略９０度折り曲げられた状態で規制され床面側に突出した形状で固着し、該杖保持部に杖を掛けて保持することを要旨とした杖掛け保持具である。
【００５５】
而して、前記長方形カード型板材は形状例として、固定板部と杖保持部からなり、該固定板部を杖の使用者が向かい合うカウンターの上面にマグネットや吸盤や何度でも使用できる粘着テープ並びに面ファスナー等の固定手段で固定し、該カウンターの端部より床面側に杖保持部を適宜突出した形状で固着し、該杖保持部に杖を掛けて保持するよう構成することも好ましい。    
【００５６】
また、本発明において、二重に重ねた合成樹脂や紙等からなる適宜厚さを有する名刺大の長方形カード型板材は、その長手方向を押し潰す様な動作で側面が逆T字型に形成され、該逆T字型底辺は杖保持部の固定板部となし、また逆T字型トップ部は先端部から杖挿脱用の切り込み部を形成する杖保持部を設ける。
【００５７】
前記杖保持部の固定板部に固着手段となるマグネットや吸盤や何度でも使用できる粘着テープ、並びに面ファスナー等を設けることで杖の使用者が向き合うカウンター側壁に任意に固定板部を固定可能とし、該固定板部より床面側に杖保持部が突出した形状で固着し、該杖保持部に杖を掛けて保持することを要旨とする杖掛け保持具である。
【００５８】
而して、前記二重に重ねた合成樹脂や紙等からなる適宜厚さを有する名刺大の長方形カード型板材はその長手方向を押し潰す様な動作で側面が逆Y字型に形成され、該逆Y字型のV字部は杖保持部の固定板部となし、また逆Y字型先端部は先端部から杖挿脱用の切り込み部を形成する杖保持部を設けて、前記杖保持部の固定板部に固着手段となるマグネットや吸盤や何度も使用できる粘着テープ、並びに面ファスナー等を設けることで杖の使用者が向き合うカウンター上面と側壁が形成するコーナー部に任意に固定板部を固定可能とし、該固定板部より床面側に杖保持部が突出した形状で固着し、該杖保持具に杖を掛けて保持するよう構成することも好ましい。
【００５９】
また、本発明においては、合成樹脂樹や紙等からなる適宜厚さを有する名刺大の長方形カード型板材は、その長手方向中央で折り曲げ可能にV字溝が刻設されており、該V溝に沿って一方向に折り曲げ可能に構成され、該カード型板材は通常、二つに折り曲げて携帯し、また該カード型板材は片方を杖保持部の固定板部とし、該他方は杖挿脱用の切り込み部を形成する杖保持部を設けた構造とする。
【００６０】
前記杖保持部の固定板部裏面に固定板部の固着手段となるマグネットや吸盤や何度でも使用できる粘着テープ並びに面ファスナー等を設けることで杖の使用者が向き合うカウンター端部上面から床面側に杖保持部を適宜突出して固着することができ、また、カウンター側壁に任意に固定板部を固定可能とし、前記杖保持部はカウンター側壁に対して略９０度折り曲げられた状態でストッパーにより係止され床面側に突出した形状で固着されるもので、該杖保持部に杖を掛けて保持することを要旨とした杖掛け保持具である。
【００６１】
而して、上述した本発明の形状例においては、前記カウンターの天板上面や側壁、または該コーナー部を主な取付部位となし、該部位にマグネットや吸盤や何度でも使用できる粘着テープ並びに面ファスナー等の固定手段で一時的な固着と離脱が可能な固定板部を有し、該固定板部の他端には杖を掛け止めできる杖保持部を設けており、該固定板部は可撓性を有した名刺大の長方形カード型の板材で通常はポケットや財布等に収納して携帯可能となし、該カード型板材を適宜必要に応じて利用者が取り出し前記取付部位に応じてI型、逆L字型、Y型、T型に折り曲げて、或いはそのままの状態にて前記カウンターの天板上面や側壁、または該コーナー部に固着する構成が好ましい。
【００６２】
次に本発明は、例として施設管理者側が予め必要位置に簡単に設置する杖の掛け保持具に関する形態を説明する。本発明における合成樹脂やアルミ等の金属からなる杖掛け具は、杖の使用者が向き合うカウンターの側壁部に任意に取付固着できる手段を有する固定板部と杖挿脱用の切り込み部を有する杖保持部からなり、前記固定板部に必要に応じ施設側管理者が杖保持部を嵌合するか、利用者が必要時に杖保持部を嵌合して、該杖保持部に杖を掛けて保持することを要旨とした杖掛け保持具である。
【００６３】
また、本発明の形状例において、合成樹脂やアルミ等の金属からなる杖掛け具は、杖の使用者が向き合うカウンターの天板上面や側壁部に任意に取付固着できる手段を有する固定板部と杖挿脱用の切り込み部を有する杖保持部からなり、該固定板部と杖保持部は回転軸により略９０度回動可能に連結されており、また、前記固定板部裏面には固定板部の固着手段となるマグネットや吸盤や何度でも使用できる粘着テープ並びに面ファスナーを設け、該固定板部を任意にI型、逆L字型に構成して前記カウンターの天板上面や側壁に固着可能となし、前記杖保持部に杖を掛けて保持する構成を要旨ととした杖掛け保持具である。
【００６４】
また、本発明の形状例において、合成樹脂やアルミ等の金属からなる杖掛け具は、杖の使用者が向き合うカウンターの天板上面や側壁部に任意に取付固着できる固定板部と杖挿脱用の切り込み部を有する杖保持部からなる。杖保持部は、回転軸により固定板部に略９０度回動可能に連結されており、該回転軸は杖保持部両側面に刻設された摺動溝内に摺動可能に嵌着されれおり杖保持部を前記固定板部の収納部に収納或いは引き出すことが可能に構成されており、また、前記固定板部の裏面には固定板部の固着手段を設け、該固定板部を任意にI型、逆L字型に構成して前記カウンターの天板上面や側壁に固着可能となし、前記杖保持部に杖を掛けて保持することを要旨とした杖掛け保持具である。
【００６５】
また本発明の形状例において、合成樹脂等からなる杖掛け具は杖の使用者が向き合うカウンターの天板上面や側壁部に任意に取付固着できる固着手段を有する固定板部と杖挿脱用の切り込み部を有する杖保持部からなり、該固定板部と杖保持部はその長手方向略中央で折り曲げ可能にV字溝が刻設されており、該V溝に沿って一方向に折り曲げ可能に構成され、該V溝ににより折り曲げられる角度は固定板部と杖保持部に互いに設けられた角度調整突部により略９０度に規制され、該固定板部を任意に逆L字型やI型に構成して前記カウンターの天板上面や側壁に固着可能となし、前記杖保持部に杖を掛けて保持することを要旨とした杖掛け保持具である。
【００６６】
而して、前記固定板部と杖保持部間に刻設されるV溝の可撓部は丁番に換えることで杖掛け具全体の素材をアルミ等の金属性として構成することも好ましい。
【００６７】
また、本発明の形状例において、合成樹脂やアルミ等の金属からなる杖掛け具は、杖の使用者が向き合うカウンターの天板上面や側壁部に杖掛け具として任意に取付固着できる固定板部と杖挿脱用の切り込み部を有する杖保持部からなり、該固定板部と杖保持部は回転軸により略９０度回動可能に連結されており、また、前記固定板部裏面には固定板部の固着手段を設け、該固定板部を任意にI型、逆L字型に構成して前記カウンターの天板上面や側壁に固着可能となし、また、前記固着された状態で不使用時には杖保持部を前記固定板部の収納部に折り曲げて収納可能に構成したこと要旨とした杖掛け保持具である。
【００６８】
本発明は、軟質樹脂より成る円柱形状のホルダー本体を外周面に設けたリング状のマグネットによりスチール側壁に固着可能となし、該側壁に固着されたホルダー本体の先端部には軸心方向にT型の杖握り部先端が挿着保持される差込口が設けられ、該円柱形状のホルダー本体外周部にはステッキ形状の杖が掛けられるくびれ溝を設けた杖掛け保持具である。
【００６９】
本発明において、前記ホルダー本体の先端部に設けられるT型の杖握り部先端が挿着保持される差込口は、該縁部に軟質樹脂により容易に伸び縮みする複数の突起を設け、該突起によりT型杖の先端部を挿着保持することが好ましい。
【００７０】
斯くして、前記杖掛け具の固定板部を使用個所に任意に取付固着するための手段は、マグネットや吸盤や何度も使用できる粘着テープ或いは面ファスナー等を必要に応じ任意に選択し着脱自在に固着する手段となし、また、場合によっては前記固定部板を強固に固定するビス止めやボルト・ナットによる固着手段を採用して固着する手段とすることも可能で、該固定板部に連繋して設けられる杖保持部に杖を掛けて保持するよう構成されていることが好ましい。
【実施例１】
【００７１】
図１乃至図４は本発明の実施例１を説明するもので、図１は平面図、図２は側面図、図３は部品形状を示す斜視説明図、図４はテーブルカウンター上面での使用状況を示す説明図である。
【００７２】
図１乃至図４において、１は杖掛け保持具本体であり、合成樹脂または、紙等のカード型板材２からなり、３は固定板部、４は杖保持部、５は杖保持部４に設けられた杖挿脱用の切り込み部、６は切り込み部５を構成する杖の大きさに適合する凹凸形状部、７は前記固定板部３裏面に設けられた固着部材で、該固着部材７はマグネットや吸盤、そして何度も使用できる粘着テープ、または面ファスナー等が使用される。
【００７３】
また、図３は、実施例１に使用される部品構成を示すもので、８はサイン、９はサインホルダー、１０はウエイト、１は杖掛け保持具本体をそれぞれ示している。
【００７４】
而して、実施例１は、図４に示す如く、合成樹脂や紙等からなる適宜厚さを有する略名刺大の長方形カード型薄板状体を呈する板材２は、一方に杖挿脱用の切り込み部５を設けて杖保持部４となし、該板材２の他方は裏面に板材２の固着手段となるマグネットや吸盤や何度でも使用できる粘着テープ並びに面ファスナー等からなる固着部材７を設けた固定板部３となし、該固定板部３を前記固着部材７にて杖の使用者が向き合うカウンター１１の天板上面１２に任意に固着可能とし、該固定板部３の固着によりカウンター１１の端部から床面側に前記杖保持部４が突出した形状で保持され、該突出した杖保持部４の杖挿脱用切り込み部５を構成する凹凸形状部６に杖１３を立て掛けるか、または、掛けて保持するものである。
【００７５】
また、実施例１において、前記略長方形カード型薄板状体を呈する板材２は、杖保持部４と固定板部３からなり、前記固定板部３をカウンター１１の天板上面１２にマグネットや吸盤や何度でも使用できる粘着テープ並びに面ファスナー等の固着部材７にて固着し、該固定板部３の上部には固定補助用ウエイト１０とサインホルダー９並びにサイン８が載置され、または、ウエイト１０とサインホルダー９が一体化された固定具１４が載置され、該ウエイトが構成する固定具１４により、固定板部３がカウンター１１の天板上面１２に固着され、前記杖保持部４の杖挿脱用切り込み部５に杖１３を掛けて保持すること、また、該杖掛け保持具本体１の位置がサインにて表示されることを特徴としている。
【００７６】
更にまた、実施例１は、前記固定板部３の裏面にカウンター天板上面１２で滑り止めとなるテープ等からなる滑り止め１５（図２において固着部材７に替わる位置）貼着されており、該固定板部３上面にウエイト１０を載置することで該固定板部３をカウンター天板上面１１に固定することもできる。
【実施例２】
【００７７】
図５乃至図８は本発明の実施例２を説明するもので、図５は平面図、図６は側面図、図７は部品形状を示す斜視説明図、図８はテーブルカウンター上面での使用状況を示す説明図である。
【００７８】
図５乃至図８において、１は杖掛け保持具本体であり、合成樹脂または、紙等のカード型板材２からなり、１６は固定板部ケース、４は杖保持部、１７a、１７ｂは該杖保持部先端に設けられた引き出し用摘子、５は杖保持部４に設けられた杖挿脱用の切り込み部、６は切り込み部５を構成する杖の大きさに適合する凹凸形状部、７は前記固定板部ケース１６の裏面に設けられた固着部材で、該固着部材７はマグネットや吸盤、そして何度も使用できる粘着テープ、または面ファスナー等が使用される。
【００７９】
斯くして、前記固着部材７にて、カウンター１１の天板上面１２に固着される固定板部ケース１６は、前記カード型板材２からなる杖保持部４を摺動自在に内蔵しており、該内蔵された杖保持部４は、必要に応じ固定板部ケース１６から引き出し摘子１７a、１７ｂを持って突出させたり、固定板部ケース１６内に収納できる。
また、図７は、実施例２に使用される部品構成を示すもので、８はサイン、９はサインホルダー兼ウエイト、１６は固定板部ケース、４は杖保持部をそれぞれ示している。
【００８０】
而して、実施例２は、図８に示す如く、合成樹脂や紙等からなる適宜厚さを有する略名刺大の長方形カード型薄板状体を呈する板材２は先端部に杖挿脱用の切り込み部５を設けて杖保持部４となし、該杖保持部４を有する板材２は固定板部ケース１６に内蔵され、該固定板部ケース１６の裏面には固定板部ケース１６と板材２の固着手段からなるマグネットや吸盤や何度でも使用できる粘着テープ並びに面ファスナー等の固着部材７を設け、前記固定板部ケースに内蔵され必要に応じて前記杖保持部４の杖挿脱用の切り込み部５を外部に伸張可能となし、前記固定板部ケース１６を前記固着部材７にて杖１３の使用者が向き合うカウンター１１の天板上面１２に任意に固着し、該固定板部ケース１６の固着によりカウンター１１の端部から床面側に前記杖保持部４の杖挿脱用の切り込み部５が突出した形状で保持され、該突出した杖保持部４の杖挿脱用切り込み部５に杖を立て掛けるか、または、杖１３を掛けて保持するものである。
【００８１】
また、実施例２において、前記略長方形カード型薄板状体を呈する板材２からなる杖保持部４と該杖保持部４を内蔵する固定板部ケース１６からなる杖１３の杖保持部４は、前記固定板部ケース１６をカウンター１１の天板上面１２にマグネットや吸盤や何度でも使用できる粘着テープ並びに面ファスナー等の固着部材７にて固着し、該固定板部ケース１６の上部にはサインホルダー兼ウエイト９、並びにサイン８が載置され、または、サインホルダー兼ウエイト９が一体化された固定具１４が載置され固定板部ケース１６がカウンター１１の天板上面１２に固着され、前記杖保持部４の杖挿脱用切り込み部５に杖１３を掛けて保持すること、また、該杖掛け保持具１の位置がサインにて表示される杖掛け保持具である。
【００８２】
更にまた、実施例２は、前記固定板部ケース１６の裏面にカウンター天板上面１２で滑り止めとなるテープ等からなる滑り止め１５（図２において固着部材７に替わる位置）貼着して、該固定板部ケース１６上面にサインホルダー兼ウエイト９を載置することで該固定板部ケース１６をカウンター天板上面１１に固定することもできる。
【実施例３】
【００８３】
図９乃至図１２は本発明の実施例３を説明するもので、図９は平面図、図１０は側面図、図１１は部品形状を示す斜視説明図、図１２はテーブルカウンター上面での使用状況を示す説明図である。
【００８４】
図９乃至図１２において、１は杖掛け保持具本体であり、合成樹脂または、紙等のカード型板材２からなり、３は固定板部、４は杖保持部、５は杖保持部４に設けられた杖挿脱用の切り込み部、６は切り込み部５を構成する杖の大きさに適合する凹凸形状部、７は前記固定板部３裏面に設けられた固着部材で、該固着部材７はマグネットや吸盤、そして何度も使用できる粘着テープ、または面ファスナー等からなる。
【００８５】
而して実施例３は、合成樹脂や紙等からなる適宜厚さを有する略長方形カード型薄板状体を呈する板材２は、その長手方向略中央から折り曲げ可能に三本のV字溝１８a、１８ｂ、１８ｃが刻設されており、該V溝１８a、１８ｂ、１８ｃに沿って折り曲げることにより三角山形状のサインホルダー１９が構成され、また該三角山形状の底辺部は固定板部３となし、該固定板部３の先端部は杖挿脱用の切り込み部を有する杖保持部４を設けており、該杖保持部４の固定板部裏面に固定板部３の固着手段となるマグネットや吸盤や何度でも使用できる粘着テープ並びに面ファスナー等の固着部材７を設けた。
【００８６】
そして、杖１３の使用者が向き合うカウンター１１の天板上面１２に任意に前記固定板部３を固定可能とし、前記杖保持部４は床面側に突出した形状で天板上面１２に固着され、該杖保持部４の杖挿脱用切り込み部５に杖１３を立て掛けたり、また、杖１３を掛けて保持するものである。
【００８７】
また、実施例３において、前記固定板部３を底辺として形成される三角山形状のサインホルダー１９は前記三角山形状が作り出す内径部に固定補助用ウエイト１０を装着でき、該三角山形状外部側には杖１３の杖掛け保持具本体１を明示するサインを印刷し、該杖掛け保持具本体１の位置がサインにて表示されるようにした。
【００８８】
更にまた、実施例３は、前記三角山形状のサインホルダー１９が作り出す内径部にウエイト１０を装着できるので、該サインホルダー１９の底辺部の固定板部３の裏面にカウンター天板上面１２で滑り止めとなるテープ等からなる滑り止め１５（図２において固着部材７に替わる位置）貼着して、該固定板部３上面にウエイト１０を載置することで該固定板部３をカウンター天板上面１１に固定することもできる。
【実施例４】
【００８９】
図１３乃至図１８は本発明の実施例４を説明するもので、図１３は平面図、図１４は側面図、図１５は使用例を示す斜視説明図、図１６は券売機での使用状況を示す説明図、図１７は他の使用例を示す斜視説明図、図１８はテーブルカウンター等での使用状況を示す説明図である。
【００９０】
図１３乃至図１８において、１は杖掛け保持具本体であり、合成樹脂または、紙等のカード型板材２からなり、３は固定板部、４は杖保持部、５は杖保持部４に設けられた杖挿脱用の切り込み部、６は切り込み部５を構成する杖の大きさに適合する凹凸形状部、２０は前記カード型板材２に刻設されたV溝、２１a、２１ｂは杖保持具４に設けられた角度規制ストッパー、７は前記固定板部３裏面に設けられた固着部材で、該固着部材７はマグネットや吸盤、そして何度も使用できる粘着テープ、または面ファスナー等が使用される。
【００９１】
尚、図１６、並びに図１８において、２２は券売機、２３は券売機前のカウンター側壁部、１３は杖、１２は受付や案内カウンター等のカウンター上面部を示している。
【００９２】
斯くして、本発明の実施例４における杖掛け保持具本体１は、合成樹脂樹や紙等からなる適宜薄厚を有する名刺大の長方形カード型板材２からなり、該カード型板材２は、その長手方向略中央で折り曲げ可能にV字溝２０が刻設されており、該V溝２０に沿って一方向に折り曲げ可能に構成され、また該カード型板材２は片方を杖保持部４の固定板部３となし、該他方は前記折り曲げ角度規制ストッパー２１a、２１ｂと杖挿脱用の切り込み部５を形成する杖保持部４を設けている。
【００９３】
前記杖保持部４の固定板部３裏面には、固定板部３の固着手段となるマグネットや吸盤や何度でも使用できる粘着テープ、並びに面ファスナー等の固着部材９を設けることで、杖１３の使用者が向き合うカウンター側壁部に任意に前記固定板部３を図１５の形状で固着でき、図１６の如く杖掛け保持具本体１として使用できる。
【００９４】
即ち、図１５は、カード型板材２を略９０度折り曲げ、該角度を角度ストッパー２１a、２１ｂで固定した杖掛け保持具本体１を示し、該杖掛け保持具本体１は、図１６に示す券売機２２前のカウンター側壁部２３に逆L字状で固着される。そして、該固着の形状は前記杖保持部４が床上面側に突出した形状で、該突出した杖保持部４に杖１３を立て掛けるか、掛けて杖１３を保持するものである。
【００９５】
また本発明の実施例４における他の使用例は、図１７並びに図１８の如く、前記長方形カード型板材２の固定板部３を杖１３の使用者が例えば受付カウンターの上面部１１にマグネットや吸盤や何度でも使用できる粘着テープ並びに面ファスナー等の固定部材９で固定し、該カウンターの端部より床面側に杖保持部４を適宜突出した形状で固着し、該杖保持部４に杖１３を立て掛けて保持するか、掛けて保持するよう構成している。
【００９６】
尚、上記使用例にあっては、角度ストッパー２１a、２１ｂは使用しなくてもよく、図１７の如くV溝２０を下方向として少し杖保持部４をカウンター側にセットバックして取着すればよい。
【００９７】
而して、実施例４においては、上述のように構成された名詞大の長方形カード型板材２からなる杖掛け保持具本体１を合成樹脂や紙等で安価に製作し、該杖掛け保持具本体１を杖１２の利用者が携帯用として持参すると任意場所において、必要に応じ杖１３を掛けて保持でき、杖１３が床面に倒れたり、転がることがない。
【実施例５】
【００９８】
図１９乃至図２４は本発明の実施例５を説明するもので、図１９は平面図、図２０は側面図、図２１は右または左側面図、図２２は携帯カード形状に折りたたみ時の形状を示す側面図、図２３は使用例を示す斜視説明図、図２４は他の使用例を示す斜視説明図である。
【００９９】
図１９乃至図２４において、１は杖掛け保持具本体で二重に重ねた合成樹脂または、紙等のカード型板材２からなり、３は固定板部、４は杖保持部、５は杖保持部４に設けられた杖挿脱用の切り込み部、２４は杖を挟持する爪を全周または部分的に設けた挟持部、７は前記固定板部３の裏表面に設けられた固着部材で、該固着部材７はマグネットや吸盤、そして何度でも使用できる粘着テープ、または面ファスナー等が使用される。
【０１００】
尚、図２３、並びに図２４において、２５はカウンターの上面と側壁が作り出すコーナー部、２３は案内や受付等のカウンター側壁部を示している。
【０１０１】
斯くして、本発明の実施例５は、二重に重ねた合成樹脂や紙等からなる杖掛け保持具本体１であり、該杖掛け保持具本体１は、適宜厚さを有する名刺大の長方形カード型板材２が、その長手方向を押し潰す様な動作で図２０の如く側面が逆T字型に形成され、該逆T字型底辺は杖保持部４の固定板部３となし、また逆T字型トップ部は先端部から杖挿脱用挟持部２４を有する切り込み部５が形成する杖保持部４を設けている。
【０１０２】
そして前記固定板部３に裏表の任意位置に固着手段となる固着部材９を設けることで、杖の使用者が向き合うカウンター側壁２３に任意に固定板部３を固定可能とし、該固定板部３より床面側に杖保持部４が突出した形状で固着され、該杖保持部４に杖１３を掛けて保持する杖掛け保持具１である。
【０１０３】
また、前記２重に重ねた合成樹脂や紙等からなる適宜厚さを有する名刺大の長方形カード型板材２は、その長手方向を押し潰す様な動作で側面形状が図２４の如く逆Y字型に形成され、該逆Y字型のV字部は杖保持部４の固定板部３となし、また逆Y字型先端部は先端部から杖挿脱用の切り込み部５を形成する杖保持部４を設けて、前記杖保持部４の固定板部３に固着手段となる固着部材９を設けることで杖の使用者が向き合うカウンター上面部１２とカウンター側壁部２３が形成するコーナー部２５に任意に固定板部３を図２４の如く固定可能とし、該固定板部３により床面側に杖保持部４が突出した形状で取着し、該杖保持掛け具本体１に杖を立て掛けて保持したり、杖を杖保持掛け具本体１に掛けて保持するものである。
【０１０４】
而して、実施例５においては、上述のように構成された名詞大の長方形カード型板材２からなる杖掛け保持具本体１を合成樹脂や紙等で安価に製作し、該杖掛け保持具本体１を杖の利用者が図１０に示す形状で携帯用として持参すると、任意場所において、必要に応じ杖を掛けて保持でき、杖が床面に倒れたり、転がることがない。
【実施例６】
【０１０５】
図２５乃至図２８は本発明の実施例６を説明するもので、図２５、２６は全体形状を示す斜視図、図２７は使用例を示す斜視説明図、図２８は他の使用例を示す斜視説明図である。
【０１０６】
図２５乃至図２６において、１は杖掛け保持具本体で合成樹脂または、紙等のカード型板材２からなり、３は固定板部、４は杖保持部、５は杖保持部４に設けられた杖挿脱用の切り込み部、２０は前記カード型板材２に刻設されたV溝、７は前記固定板部３表面、または裏面に設けられた固着部材で、該固着部材７はマグネットや吸盤、そして何度でも使用できる粘着テープ、または面ファスナー等が使用される。
【０１０７】
尚、図２７、並びに図２８において、２３はカウンター側壁部、１２は受付や案内カウンター等のカウンター上面部を示している。
【０１０８】
斯くして本発明の実施例６においては、合成樹脂樹や紙等からなる適宜厚さを有する名刺大の長方形カード型板材２は、その長手方向中央で折り曲げ可能にV字溝２０が刻設されており、該V溝２０に沿って一方向に折り曲げ可能に構成され、該カード型板材２は、通常、図２６に示す如く二つに折り曲げて携帯し、また該カード型板材２は片方を杖保持部４の固定板部３とし、該他方は杖挿脱用の切り込み部５を形成する杖保持部４を設けた構造を有している。
【０１０９】
また、前記固定板部３表面、或いは裏面には固定板部３の固着手段となる固着部材７（マグネットや吸盤や何度でも使用できる粘着テープ並びに面ファスナー等）を設けることで杖の使用者が向き合うカウンター上面部１２から床面側に杖保持部４を適宜突出して図２７の如く固着することができ、該杖保持部４に杖の利用者が、杖を立て掛けたり、杖を掛けて保持できる杖掛け保持具である。。
【０１１０】
また、実施例６は、カウンター側壁部２３に任意に固定板部３を固定可能とし、前記杖保持部４は図２８の如くカウンター側壁部１２に対して略９０度折り曲げられた状態で前記Ｖ溝２０の縁部が互いに当接して係止され、床面側に突出した形状で固着されるので、該杖保持部４に杖１３を掛けて保持することで杖を立て掛けて保持したり、杖を掛けて保持できる。
【０１１１】
而して、上述した本発明の実施例４乃至６においては、前記カウンターの上面部１２やカウンター側壁部２３、または該コーナー部２５を主な取付部位となし、該部位にマグネットや吸盤や何度でも使用できる粘着テープ並びに面ファスナー等の固定手段からなる固着部材７で一時的な固着と離脱が可能な固定板部３を有し、該固定板部３の他端には杖１３を掛け止めできる杖保持部４を設けている。
【０１１２】
そして前記固定板部３は可撓性を有した名刺大の長方形カード型の板材２で通常はポケットや財布等に収納して携帯可能となし、該カード型板材２を適宜必要に応じて利用者が取り出し、前記取付部位に応じてI型、逆L字型、Y型、T型に折り曲げて、或いはそのままの状態にて前記カウンターの上面部１２やカウンター側壁部２３、または該コーナー部２５に固着され、または、任意に取り外しできるものである。
【実施例７】
【０１１３】
本発明は、次に実施例７乃至１２を提示して施設管理者側が予め必要位置に簡単に設置でき、不要時には、取り外し、または、突出する杖保持部を固定板部に収納できる杖の掛け保持具を説明する。
実施例７を示す図２９は杖保持部の形状を説明する斜視図、図３０は前記杖保持部をカウンター側壁に固着するための固定板部の形状を説明する斜視図であり図３１、図３２は前記固定板部に杖保持部を嵌着させた状態を説明するもので、図３１は斜視説明図、図３２は図３１の平面図を示している。
【０１１４】
図２９乃至図３２において、１は杖掛け保持具本体で合成樹脂または、アルミ等の金属により製作され、３は固定板部、４は杖保持部、５は杖保持部４に設けられた杖挿脱用の切り込み部、７は前記固定板部３の裏面に設けられた固着部材で、該固着部材７はマグネットや吸盤、そして何度でも使用できる粘着テープ、または面ファスナー等が使用されまた、固定板部３を確実に止めるために場合によりビス止めされる。
尚、図３２における２３はカウンター側壁部を示している。
【０１１５】
斯くして、本発明における実施例７は、合成樹脂やアルミ等の金属からなる杖掛け具で、杖の使用者が向き合うカウンター側壁部２３に任意に取付固着できる手段を有する固定板部３と杖挿脱用の切り込み部５を有する杖保持部４からなり、前記固定板部３に必要に応じ施設側管理者が杖保持部４を嵌合するか、利用者が必要時に杖保持部４を嵌合して、該杖保持部４に杖を掛けて保持するものである。
【０１１６】
而して、実施例７の杖掛け保持具本体１は、使用個所に固定される機能を有する固定板部３と杖のホルダーになる機能を有する杖保持部４の二つの部品によって構成される。そして前記杖保持部４には、杖の太さに適合した凹凸形状の杖挿脱用切り込み部５が設けてあり、しっかりと杖を保持できると共に、該杖保持具４はカウンター等の取付部より突出するので、丸みをおびた形状となし、場合によっては、適度な弾性を有する合成樹脂等が用いられる。また、実施例７の使用に際しては、前記固定板部３に杖保持部４を装着して使用する場合と、予め固定板部３に杖保持部４を常に装着しておく場合が想定されている。
【実施例８】
【０１１７】
実施例８を示す図３３は杖保持部の形状を説明する斜視図、図３４は杖保持部をカウンター側壁に固着した状態を示す側面図、図３５は杖保持部カウンター上面に固着した状態を示す側面図である。
【０１１８】
図３３乃至図３５において、１は杖掛け保持具本体で合成樹脂または、アルミ等の金属により製作され、３は固定板部、４は杖保持部、５は杖保持部４に設けられた杖挿脱用の切り込み部、７は前記固定板部３の裏面に設けられた固着部材で、該固着部材７はマグネットや吸盤、そして何度も使用できる粘着テープ、または面ファスナー等が使用され、また、場合により実施例８は、固定板部３を確実に止めるためにビス止めされる。
尚、図３４における２３はカウンター側壁部、図２３における１２はカウンター上面部を示している。
【０１１９】
斯くして、本発明の実施例８において、合成樹脂やアルミ等の金属からなる杖掛け保持具本体１は、杖の使用者が向き合うカウンター上面部１２やカウンター側壁部２３に任意に取付固着できる手段を有する固定板部３と杖挿脱用の切り込み部５を有する杖保持部４からなり、該固定板部３と杖保持部４は回転軸２６により略９０度回動可能に連結されている。
【０１２０】
また、前記固定板部３裏面には固定板部３の固着手段となるマグネットや吸盤や何度でも使用できる粘着テープ並びに面ファスナー等の固着部材７を設け、該固定板部３と杖保持部４を任意に逆L字型（図２２に示す）、またはI字型（図３５に示す）に構成して前記カウンターの上面１２やカウンター側壁部２３に固着可能となし、固着されて突出した杖保持部４に杖を立て掛けて保持したり、該杖保持部４に杖を掛けて保持できるものである。
【０１２１】
而して、上記実施例８の杖掛け保持具本体１は、使用個所に固定される機能を有する固定板部３と杖のホルダーになる機能を有する杖保持部４の二つの部品を回転軸２６によって連繋された構成を有している。そして前記杖保持部４には、杖の太さに適合した凹凸形状の杖挿脱用切り込み部５が設けてあり、しっかりと杖を保持できると共に、該杖保持具４はカウンター等の取付部より突出するので、場合によっては、適度な弾性を有する合成樹脂等が用いられる。
【０１２２】
また、実施例８の使用に際しては、前記固定板部３と杖保持部４間に設けられた回転軸２６により回動操作せしめて、該固定板部３と杖保持部４を図３４，図３５の如く逆L字型、I字型にして使用され、未使用時には、それぞれの固着位置をセットバックして保持できる。  
【実施例９】
【０１２３】
実施例９を示す図３６は杖保持部の形状を説明する斜視図、図３７は杖保持部をカウンター側壁に固着した状態を示す要部断面図、図３８は杖保持部カウンター上面に固着した状態を示す側面図である。
【０１２４】
図３６乃至図３８において、１は杖掛け保持具本体で合成樹脂または、アルミ等の金属により製作され、３は固定板部、４は杖保持部、５は杖保持部４に設けられた杖挿脱用の切り込み部、７は前記固定板部３の裏面に設けられた固着部材で、該固着部材７はマグネットや吸盤、そして何度でも使用できる粘着テープ、または面ファスナー等が使用され、また、場合により実施例９は、固定板部３を確実に止めるためにビス止めされる。
尚、図３７における２３はカウンター側壁部、図３８における１２はカウンター上面部を示している。
【０１２５】
斯くして、本発明の実施例９において、合成樹脂やアルミ等の金属からなる杖掛け保持具本体１は、杖の使用者が向き合うカウンター上面部１２やカウンター側壁部２３に任意に取付固着できる固定板部３と杖挿脱用の切り込み部５を有する杖保持部４からなり、該固定板部３と杖保持部４は回転軸２６により略９０度回動可能に連結されており、該回転軸２６は杖保持部４の両側面に刻設された摺動溝２７内に摺動可能に嵌着されれおり杖保持部４を前記固定板部３の収納部２８に収納、或いは引き出すことが可能に構成されている。
【０１２６】
また、前記固定板部３の裏面には、固定板部３の固着手段となる固定部材７を設け、前記固定板部３を任意に逆L字型（図３７に示す）に構成して前記カウンター側壁部２３に固着したり、Ｉ字型（図３８に示す）に構成してカウンター上面部１２に固着可能となし、前記杖保持部４に杖を立て掛けて保持したり、杖保持部４に杖を掛けて保持する杖掛け保持具である。
【０１２７】
而して、上記実施例９の杖掛け保持具本体１は、使用個所に固定される機能を有する固定板部３と杖のホルダーになる機能を有する杖保持部４の二つの部品を回転軸２６によって連繋された構成を有している。そして前記杖保持部４には、杖の太さに適合した杖挿脱用切り込み部５が設けてあり、しっかりと杖を保持できると共に、該杖保持具４はカウンター等の取付部より突出するので、場合によっては、適度な弾性を有する合成樹脂等が用いられる。
【０１２８】
また、実施例９の使用に際しては、前記杖保持部４に設けられた回転軸２６により回動操作せしめて、該杖保持部４と固定板部３を図３７，図３８の如く逆L字型、I字型にして使用され、未使用時には、杖保持部４を収納部２８に収納することができる。  
【実施例１０】
【０１２９】
図３９乃至図４２は本発明の実施例１０を説明するもので、図３９は平面図、図４０は側面図、図４１は使用例を示す斜視説明図、図４２は他の使用例を示す斜視説明図である。
【０１３０】
図３９乃至図４２において、１は杖掛け保持具本体で合成樹脂または、アルミ等の金属からなり、３は固定板部、４は杖保持部、５は杖保持部４に設けられた杖挿脱用の切り込み部、２０は杖掛け保持具本体に刻設されたV溝、７は前記固定板部３裏面に設けられた固着部材で、該固着部材７はマグネットや吸盤、そして何度でも使用できる粘着テープ、または面ファスナー等が使用されており、場合によっては、固定板部３を確実に止めるためにビス止めされる。
尚、図４１における２３はカウンター側壁部、図４２における１２はカウンター上面部を示している。
【０１３１】
斯くして本発明の実施例１０において、合成樹脂等からなる杖掛け保持具本体１は、杖の使用者が向き合うカウンター上面部１３やカウンター側壁部２３に任意に取付固着できる固着手段を有する固定板部３と杖挿脱用の切り込み部５を有する杖保持部４からなり、該固定板部３と杖保持部４はその長手方向略中央で折り曲げ可能にV字溝２０が刻設されており、該V溝２０に沿って一方向に折り曲げ可能に構成され、該V溝２０ににより折り曲げられる角度は固定板部３と杖保持部４に互いに設けられた角度調整突部２９、３０により略９０度に規制され、該固定板部３を任意に図４１の如く逆L字型や図４３の如くI型に構成して、前記カウンターの上面部１２や、カウンター側壁部２３に固着可能となし、前記杖保持部４に杖を立て掛けて保持したり、杖保持部４に杖を掛けて使用するものである。
【０１３２】
また、実施例１０においては、前記固定板部３と杖保持部４間に刻設されるV溝２０の可撓部は、回動を略９０度に規制された丁番に換えることで、杖掛け保持具１全体の素材をアルミ等の金属性として構成することもできる。
【実施例１１】
【０１３３】
実施例１２を示す図４３は杖掛け保持具本体１の形状を説明する斜視図、図４４は杖保持部をカウンター側壁に固着した状態を示す斜視図、図４５は杖保持部４をカウンター上面部１２に固着した状態を示す側面図である。
【０１３４】
図４３乃至図４５において、１は杖掛け保持具本体で合成樹脂または、アルミ等の金属により製作され、３は固定板部、４は杖保持部、５は杖保持部４に設けられた杖挿脱用の切り込み部、７は前記固定板部３の裏面に設けられた固着部材で、該固定板部３と杖保持部４は回転軸２６により略９０度回動可能に連結されており、杖保持部４を前記固定板部３の収納部２８に折りたたんで収納、或いは引き出すことが可能に構成されている。
【０１３５】
また、固定板部３の裏面に設けられる固着部材７はマグネットや吸盤、そして何度でも使用できる粘着テープ、または面ファスナー等が使用され、また、場合によっては、固定板部３を確実に止めるためにビス止めされる。
尚、図４４における２３はカウンター側壁部、図４５における１２はカウンター上面部を示している。
【０１３６】
斯くして、本発明の実施例１１において、合成樹脂やアルミ等の金属からなる杖掛け保持具本体１は、杖の使用者が向き合うカウンター上面部１２やカウンター壁部部１１に杖掛け具として任意に取付固着できる固定板部３と杖挿脱用の切り込み部５を有する杖保持部４からなり、該固定板部３と杖保持部４は回転軸２６により略９０度回動可能に連結されており、また、前記固定板部３裏面には固定板部３の固着部材７を設け、前記固定板部３と杖保持部４を図４４の如く逆L字型に形成してカウンター側壁部２３に固着設置できるように構成したり、固定板部３と杖保持部４を図４４の如くＩ字型に形成してカウンター上面部１２に固着設置して、前記杖保持部４に杖を立て掛けて保持したり、杖保持部４に杖を掛けて使用するものである。
【０１３７】
また、前記杖保持部４は固着された状態で、不使用時には杖保持部４を前記固定板部３の収納部２８に折り曲げてコンパクトに収納可能に構成した杖掛け保持具である。
【０１３８】
また、前記実施例１１の杖掛け保持具本体１の固定板部３を使用個所に任意に取付固着できる手段は、マグネットや吸盤や何度でも使用できる粘着テープ、或いは面ファスナー等から必要に応じて任意に選択でき、また、前記固定部板３を強固に固定する場合にはビス止めやボルト・ナットによる固着手段を採用して固着しもよいことは言うまでもない。
【実施例１２】
【０１３９】
実施例１２を示す図４６は杖掛け保持具本体１の形状を説明する正面図、図４７は杖保持部をカウンター側壁に固着した状態を示す側断面図、図４８はT型の杖を掛けた状態を示す使用例図、図４９はステッキ型の杖を掛けた状態を示す使用例図である。
【０１４０】
図４６乃至４９において、１は杖掛け保持具本体で軟質性の合成樹脂により製作され、３はリング状のマグネットから成る固定板部、４は杖保持部で、該杖保持部４は杖掛け保持具本体１の外周部３１に設けられるくびれ溝３２と、杖掛け保持具本体１の先端部に設けられた差込口３３からなる。
【０１４１】
而して、実施例１２は軟質樹脂より成る円柱形状の杖掛け保持具本体１を外周部３１に設けたリング状のマグネット３によりスチール側壁に固着可能となし、該側壁２３に固着された杖掛け保持具本体１本体の先端部には軸心方向にT型の杖１３の握り部先端が挿着保持される差込口３３が設けられ、該円柱形状の杖掛け保持具本体１外周部３１にはステッキ形状の杖１３が掛けられるくびれ溝３２を設けたことで、前記くびれ溝３２と差込口３３にそれぞれ異なった形状の杖１３が図４６及び図４７の如く掛けられる。
【０１４２】
前記杖掛け保持具本体１の先端部に設けられるT型の杖１３の握り部先端が挿着保持される差込口３３は該縁部３４に軟質樹脂により容易に伸び縮みする複数の突起３５を設け、該突起３５によりT型杖１３の先端部を容易に挿着保持することができた。
【０１４３】
斯くして、実施例１２では、前記杖掛け保持具本体１を外周部３１に設けたリング状のマグネット３によりスチール側壁に固着しているが、該杖掛け保持具本体１の固着方法は、ビス３６によって側壁２３に確実に固着する事も他の実施例と同様に採用できる。
【０１４４】
尚本発明の実施例説明に当たっては常に杖を利用している人を前提に杖の掛け保持具として説明してきたが、本発明においては、日傘や雨傘の保持具としても利用できることは言うまでもない。
【産業上の利用可能性】
【０１４５】
而して、本発明は、杖を利用している人が、携帯用として持ち歩き、必要な場所で容易に取付、固定して杖を掛けて保持できる杖掛け保持具であり、また例えば公共の施設の管理者側が予め必要位置に簡単に設置できる形状の杖掛け保持具を提供するもので、高齢者社会において、公共的施設等にバリアフリー化が促進され、高齢者にとっても外出することが、負担にならず、積極的に外出する機会が増加してきている現況で、その利用価値は多大なものがあり、産業上の利用の可能性は顕著である。
【図面の簡単な説明】
【０１４６】
【図１】実施例１を説明する平面図である。
【図２】図１の側面図である。
【図３】実施例１の部品形状を示す斜視説明図である。
【図４】実施例１の使用状況を示す斜視説明図である。
【図５】実施例２を説明する平面図である。
【図６】図５の側面図である。
【図７】実施例２の部品形状を示す斜視説明図である。
【図８】実施例２の使用状況を示す斜視説明図である。
【図９】実施例３を説明する平面図である。
【図１０】図９の側面図である。
【図１１】実施例３の部品形状を示す斜視説明図である。
【図１２】実施例３の使用状況を示す斜視説明図である。
【図１３】実施例４を説明する平面図である。
【図１４】図１３の側面図である。
【図１５】使用例４を示す斜視説明図である。
【図１６】券売機での使用状況を示す説明図である。
【図１７】実施例４の他の使用例を示す斜視説明図である。
【図１８】テーブルカウンター等で使用状況を示す説明図である。
【図１９】実施例５を説明する平面図である。
【図２０】図１９の側面図である。
【図２１】図１９の右または左側面図である。
【図２２】携帯カード形状に折りたたんだ時の形状を示す側面図である。
【図２３】実施例５の使用例を示す斜視図である。
【図２４】実施例５の他の使用例を示す斜視図である。
【図２５】実施例６の全体形状を示す斜視図である。
【図２６】実施例６の全体形状を示す斜視図である。
【図２７】実施例６の使用例を示す斜視説明図である。
【図２８】実施例６の他の使用例を示す斜視説明図である。
【図２９】実施例７を示すもので杖保持部の形状を示す斜視図である。
【図３０】実施例７の固定板部の形状を説明する斜視図である。
【図３１】実施例７の全体を示す斜視説明図である。
【図３２】図３１の平面図である。
【図３３】実施例８を示すもので杖保持部の形状を説明する斜視図である。
【図３４】実施例８を説明する側面図である。
【図３５】実施例８の使用例を説明する側面図である。
【図３６】実施例９を示すもので杖保持部の形状を示す斜視図である。
【図３７】実施例９において杖保持部をカウンター側壁に固着した状態を示す側面図である。
【図３８】実施例９において杖保持部をカウンター上面に固着した状態を示す側面図である。
【図３９】実施例１０を示す平面図である。
【図４０】図３９の平面図である。
【図４１】実施例１０の使用例を示す斜視説明図である。
【図４２】実施例１０の他の使用例を示す斜視説明図である。
【図４３】実施例１１を示すもので杖掛け保持具の形状を示す斜視説明図である。
【図４４】杖保持部をカウンター側壁に固着した状態を示す側面図である。
【図４５】杖保持部をカウンター上面に固着した状態を示す側面図である。
【図４６】実施例１２を説明する正面図である。
【図４７】図４６の側断面図である。
【図４８】T型の杖を掛けた状態を示す説明図である。
【図４９】ステッキ型の杖を掛けた状態を示す説明図である。
【符号の説明】
【０１４７】
１  杖掛け保持具本体
２  カード型板材
３  固定板部
４  杖保持部  
５  杖挿脱用の切り込み部
６  凹凸形状部
７  固着部材
８  サイン
９  サインホルダー
１０  ウエイト
１１  カウンター
１２  カウンター天板上面
１３  杖
１４  固定具
１５  滑り止め
１６  固定板部ケース
１７a、１７ｂ  引き出し摘子
１８a、１８ｂ、１８ｃ  V字溝
１９  三角山形状のサインホルダー
２０  V溝
２１a、２１ｂ  角度規制ストッパー
２２  券売機
２３  カウンター側壁部
２４  挟持部
２５  コーナー部
２６  回転軸
２７  摺動溝
２８  収納部
３０  角度調整突部
３１  外周部  
３２  くびれ溝
３３  差込溝
３４  縁部
３５  突起
３６  ビス
【図１】
2006087534.tif 000003
【図２】
2006087534.tif 000004
【図３】
2006087534.tif 000005
【図４】
2006087534.tif 000006
【図５】
2006087534.tif 000007
【図６】
2006087534.tif 000008
【図７】
2006087534.tif 000009
【図８】
2006087534.tif 000010
【図９】
2006087534.tif 000011
【図１０】
2006087534.tif 000012
【図１１】
2006087534.tif 000013
【図１２】
2006087534.tif 000014
【図１３】
2006087534.tif 000015
【図１４】
2006087534.tif 000016
【図１５】
2006087534.tif 000017
【図１６】
2006087534.tif 000018
【図１７】
2006087534.tif 000019
【図１８】
2006087534.tif 000020
【図１９】
2006087534.tif 000021
【図２０】
2006087534.tif 000022
【図２１】
2006087534.tif 000023
【図２２】
2006087534.tif 000024
【図２３】
2006087534.tif 000025
【図２４】
2006087534.tif 000026
【図２５】
2006087534.tif 000027
【図２６】
2006087534.tif 000028
【図２７】
2006087534.tif 000029
【図２８】
2006087534.tif 000030
【図２９】
2006087534.tif 000031
【図３０】
2006087534.tif 000032
【図３１】
2006087534.tif 000033
【図３２】
2006087534.tif 000034
【図３３】
2006087534.tif 000035
【図３４】
2006087534.tif 000036
【図３５】
2006087534.tif 000037
【図３６】
2006087534.tif 000038
【図３７】
2006087534.tif 000039
【図３８】
2006087534.tif 000040
【図３９】
2006087534.tif 000041
【図４０】
2006087534.tif 000042
【図４１】
2006087534.tif 000043
【図４２】
2006087534.tif 000044
【図４３】
2006087534.tif 000045
【図４４】
2006087534.tif 000046
【図４５】
2006087534.tif 000047
【図４６】
2006087534.tif 000048
【図４７】
2006087534.tif 000049
【図４８】
2006087534.tif 000050
【図４９】
2006087534.tif 000051